(57)【要約】【課題】内視鏡本体に対して着脱可能な吸引ボタンユニットなどのユニット単位でも履歴管理を確実に行なう。【解決手段】内視鏡１１の操作部５３には、その内視鏡本体に固有の内視鏡本体識別ＩＤを記憶したラベル型の内視鏡本体用識別タグが貼り付けられている。内視鏡１１の予備洗浄時に内視鏡本体から取り外される鉗子キャップユニット、吸引ボタンユニット、送気・送水ボタンユニットのそれぞれには、各ユニット毎に固有のユニット識別ＩＤを記憶したユニット用ＩＣタグが埋め込まれている。これら内視鏡用識別タグ及びユニット用ＩＣタグは、リプロセス装置１２のトップカバー２０に設けられた内視鏡本体用タグリーダー７５及びユニット用タグリーダー７７によって読み取られる。履歴管理サーバー１４の履歴取得部８６は、その読み取りにより得られる内視鏡本体識別ＩＤ及びユニット識別ＩＤに基づいて、内視鏡１１の洗浄に関する洗浄履歴を取得する。【選択図】図１
2011193982.tif 000002
【特許請求の範囲】
【請求項１】
使用済みの内視鏡にリプロセス処理を施すリプロセス装置と、このリプロセス装置で行なった処理履歴を管理する履歴管理装置とを備える内視鏡リプロセス装置の履歴管理システムにおいて、
前記リプロセス装置は、
内視鏡本体に設けられる識別タグであってその内視鏡本体に固有の内視鏡本体識別情報を記憶した内視鏡本体用識別タグから、内視鏡本体識別情報を非接触で読み取る内視鏡本体用タグリーダーと、
内視鏡の予備洗浄時に内視鏡本体から着脱可能なユニット毎に設けられる識別タグであってそのユニット毎に固有のユニット識別情報を記憶したユニット用識別タグから、ユニット識別情報を非接触で読み取るユニット用タグリーダーとを備え、
前記履歴管理装置は、
前記内視鏡本体用タグリーダーで読み取った内視鏡本体識別情報と前記ユニット用タグリーダーで読み取ったユニット識別情報とに基づいて、前記処理履歴を取得する履歴取得手段を備えることを特徴とする内視鏡リプロセス装置の履歴管理システム。
【請求項２】
前記内視鏡本体用識別タグ及びユニット用識別タグのうち、少なくとも１つの識別タグには、前記内視鏡本体と前記ユニットの組み合わせの情報を取得するための情報が書き込まれていることを特徴とする請求項１記載の内視鏡リプロセス装置の履歴管理システム。
【請求項３】
前記内視鏡本体用識別タグ及びユニット用識別タグのうち、少なくとも１つの識別タグは、アクティブ型の識別タグであるとともに、前記内視鏡本体と前記ユニットの組み合わせの情報を取得するための情報は、前記アクティブ型の識別タグの書き込み領域に書き込まれていることを特徴とする請求項２記載の内視鏡リプロセス装置の履歴管理システム。
【請求項４】
前記リプロセス装置の洗浄槽には、前記使用済みの内視鏡が特定の形状で収納されるように、前記内視鏡の形状を規制する規制手段が設けられていることを特徴とする請求項１ないし３いずれか１項記載の内視鏡リプロセス装置の履歴管理システム。
【請求項５】
前記使用済みの内視鏡が前記規制手段で特定の形状に規制された状態で前記洗浄槽に収納されている場合において、前記内視鏡本体用タグリーダーは、前記内視鏡本体用識別タグが存在する部分に対向する位置に設けられ、前記ユニット用タグリーダーは、前記ユニット用識別タグが存在する部分に対向する位置に設けられていることを特徴とする請求項４記載の内視鏡リプロセス装置の履歴管理システム。
【請求項６】
前記内視鏡本体用識別タグ及びユニット用識別タグのうち、少なくとも１つの識別タグには、前記内視鏡本体と前記ユニットに設けられた識別タグの個数情報が書き込まれていることを特徴とする請求項１ないし５いずれか１項記載の内視鏡リプロセス装置の履歴管理システム。
【請求項７】
前記履歴管理装置は、
内視鏡本体識別情報と内視鏡本体の型式名とを予め関連付けて記憶するとともに、ユニット識別情報とユニットの型式名とを予め関連付けて記憶する識別情報テーブルと、
前記識別情報テーブルを参照して、前記内視鏡本体用タグリーダーから読み取った内視鏡識別情報に対応する内視鏡本体の型式名と特定するとともに、前記ユニット用タグリーダーから読み取ったユニット識別情報に対応するユニットの型式名を特定する型式名特定部とを備え、
前記履歴取得手段は、前記内視鏡本体用タグリーダーから読み取った内視鏡識別情報、前記ユニット用タグリーダーから読み取ったユニット識別情報、前記型式名特定部で特定した内視鏡本体及びユニットの型式名を含む処理履歴を取得することを特徴とする請求項１ないし６いずれか１項記載の内視鏡リプロセス装置の履歴管理システム。
【請求項８】
前記内視鏡本体用識別タグは、内視鏡本体識別情報に加えて、その内視鏡本体識別情報に対応する内視鏡本体の型式名とを記憶しており、前記ユニット用識別タグは、ユニット識別情報に加えて、そのユニット識別情報に対応するユニットの型式名とを記憶しており、
前記履歴取得手段は、前記内視鏡本体用タグリーダーから読み取った内視鏡識別情報及び内視鏡本体の型式名と、前記ユニット用タグリーダーから読み取ったユニット識別情報及びユニットの型式名とを含む処理履歴を取得することを特徴とする請求項１ないし６いずれか１項記載の内視鏡リプロセス装置の履歴管理システム。
【発明の詳細な説明】
【技術分野】
【０００１】
本発明は、内視鏡リプロセス装置の履歴管理システムに関する。
【背景技術】
【０００２】
内視鏡は繰り返し使用されるものであり、使用後にはその洗浄が行われる。そこで、洗浄履歴を一括して管理するために、内視鏡に内視鏡タグを設け、これを洗浄装置に設けたタグリーダーで検出することで、複数の洗浄装置のうちいずれの洗浄装置で洗浄が行われたかを特定するものが提案されている（特許文献１）。一方、上述したように、内視鏡は繰り返し使用されるものであるため、体液等で汚損された内視鏡の吸引経路を、予備洗浄時において、手作業で完全に洗浄しなければならない。
【０００３】
したがって、吸引経路に用いられる弁ユニットは弁ケーシングに対して着脱可能にしたたり（特許文献２（段落２６））、また、内視鏡本体に対して吸引ボタンユニットが着脱自在に取り付けたり（特許文献３（段落２８））、また、吸引制御装置を内視鏡操作部に着脱自在に設けること（特許文献４）によって、予備洗浄時の洗浄性が良好となるようにしている。
【先行技術文献】
【特許文献】
【０００４】
【特許文献１】特開２００９−１６５７０６号公報
【特許文献２】特開２００９−２０１８４５号公報
【特許文献３】特開２００９−２０１５６３号公報
【特許文献４】特開平７−３９５１２号公報
【発明の概要】
【発明が解決しようとする課題】
【０００５】
しかしながら、従来の内視鏡リプロセス装置の履歴管理システムでは、内視鏡本体には内視鏡タグが付けられていたが、内視鏡本体に対して着脱可能となっている弁ユニットや吸引ボタンユニットなどには、識別タグが設けられていなかった。このため、予備洗浄時のユニットの取り違えなどの人為的なミスに対する履歴管理は不完全であった。その解決策として、内視鏡の全ての部品に識別タグを設けることが考えられる。このように、内視鏡の部品ユニットに識別タグを設けて部品ユニット毎に履歴管理をすることは、近年の医療分野における要望に合致している。
【０００６】
しかしながら、内視鏡に設けられた識別タグの数が多くなりすぎると、検出が困難となる。また、部品が小さすぎる場合には識別タグを設けることができないことがある。また、内視鏡特有の課題として主要な構成部分の大半がフレキシブルに作られているため、その形状は不定形である。したがって、単にユニット毎に固有の識別ＩＤを付けただけでは、タグリーダーの通信範囲内に一部の識別タグが存在しない場合がある。この場合には、一部のユニットの識別情報しか読み取れないため、全ユニットの識別情報を読取ることができないこととなる。
【０００７】
本発明は、使用済みの内視鏡を洗浄等の履歴管理を行う際に、内視鏡本体に対して着脱可能な弁ユニットや吸引ボタンユニットなどのユニット単位でも履歴管理を確実に行なうことができる内視鏡リプロセス装置の履歴管理システムを提供することを目的とする。
【課題を解決するための手段】
【０００８】
上記目的を達成するために、本発明は、使用済みの内視鏡にリプロセス処理を施すリプロセス装置と、このリプロセス装置で行なった処理履歴を管理する履歴管理装置とを備える内視鏡リプロセス装置の履歴管理システムにおいて、前記リプロセス装置は、内視鏡本体に設けられる識別タグであってその内視鏡本体に固有の内視鏡本体識別情報を記憶した内視鏡本体用識別タグから、内視鏡本体識別情報を非接触で読み取る内視鏡本体用タグリーダーと、内視鏡の予備洗浄時に内視鏡本体から着脱可能なユニット毎に設けられる識別タグであってそのユニット毎に固有のユニット識別情報を記憶したユニット用識別タグから、ユニット識別情報を非接触で読み取るユニット用タグリーダーとを備え、前記履歴管理装置は、前記内視鏡本体用タグリーダーで読み取った内視鏡本体識別情報と前記ユニット用タグリーダーで読み取ったユニット識別情報とに基づいて、前記処理履歴を取得する履歴取得手段を備えていることからによって、人為的なミスにより、本来の組み合わせと異なるユニットの組み合わせが発生したときにこれを検出できるため、より完全な履歴管理が可能となる。
【０００９】
前記内視鏡本体用識別タグ及びユニット用識別タグのうち、少なくとも１つの識別タグには、前記内視鏡本体と前記ユニットの組み合わせの情報を取得するための情報が書き込まれていることが好ましい。前記内視鏡本体用識別タグ及びユニット用識別タグのうち、少なくとも１つの識別タグは、アクティブ型の識別タグであるとともに、前記内視鏡本体と前記ユニットの組み合わせの情報を取得するための情報は、前記アクティブ型の識別タグの書き込み領域に書き込まれていることが好ましい。
【００１０】
前記リプロセス装置の洗浄槽には、前記使用済みの内視鏡が特定の形状で収納されるように、前記内視鏡の形状を規制する規制手段が設けられていることが好ましい。前記使用済みの内視鏡が前記規制手段で特定の形状に規制された状態で前記洗浄槽に収納されている場合において、前記内視鏡本体用タグリーダーは、前記内視鏡本体用識別タグが存在する部分に対向する位置に設けられ、前記ユニット用タグリーダーは、前記ユニット用識別タグが存在する部分に対向する位置に設けられていることが好ましい。
【００１１】
前記内視鏡本体用識別タグ及びユニット用識別タグのうち、少なくとも１つの識別タグには、前記内視鏡本体と前記ユニットに設けられた識別タグの個数情報が書き込まれていることが好ましい。
【００１２】
前記履歴管理装置は、内視鏡本体識別情報と内視鏡本体の型式名とを予め関連付けて記憶するとともに、ユニット識別情報とユニットの型式名とを予め関連付けて記憶する識別情報テーブルと、前記識別情報テーブルを参照して、前記内視鏡本体用タグリーダーから読み取った内視鏡識別情報に対応する内視鏡本体の型式名と特定するとともに、前記ユニット用タグリーダーから読み取ったユニット識別情報に対応するユニットの型式名を特定する型式名特定部とを備え、前記履歴取得手段は、前記内視鏡本体用タグリーダーから読み取った内視鏡識別情報、前記ユニット用タグリーダーから読み取ったユニット識別情報、前記型式名特定部で特定した内視鏡本体及びユニットの型式名を含む処理履歴を取得することが好ましい。
【００１３】
前記内視鏡本体用識別タグは、内視鏡本体識別情報に加えて、その内視鏡本体識別情報に対応する内視鏡本体の型式名とを記憶しており、前記ユニット用識別タグは、ユニット識別情報に加えて、そのユニット識別情報に対応するユニットの型式名とを記憶しており、前記履歴取得手段は、前記内視鏡本体用タグリーダーから読み取った内視鏡識別情報及び内視鏡本体の型式名と、前記ユニット用タグリーダーから読み取ったユニット識別情報及びユニットの型式名とを含む処理履歴を取得することが好ましい。
【００１４】
本発明は、特許請求の範囲の請求項１に記載の構成に加えて、更に請求項２以下の構成を有することで、以下のような利点を得ることができる。単にユニット毎に固有の識別情報を付けただけでなく、本来形状が不定形な内視鏡が規制手段で特定の形状で収納されるリプロセス装置に対して、識別情報を非接触で読み取るタグリーダーを設けている。したがって、内視鏡をリプロセス装置に収めた状態、即ち定型状態で固有の識別情報を読取ることができるので、タグリーダーと識別タグの位置関係の対応が可能となる。
【００１５】
さらに、少なくとも１つの識別タグには、内視鏡本体とユニットの組み合わせの情報を取得するための情報を書き込んでおくことによって、前記組み合わせ情報によって全ユニットのユニット毎の識別情報が読み取れたか否かが判別できる。したがって、一部のユニットの識別情報しか読み取れなかったときに、それを判別して再度読み取りを行う等の対応が可能となる。
【発明の効果】
【００１６】
本発明によれば、人為的なミスにより、本来の組み合わせと異なるユニットの組み合わせが発生したときにこれを検出でき、より完全な履歴管理が可能となるため、内視鏡の全ての部品に識別タグを設ける必要はない、例えば、特開平７−１９４５２０の段落［００２９］に書かれている吸引制御装置のバネのように、分解洗浄時に吸引制御装置のシリンダから外れることがないような部品にまで識別タグを設ける必要がないので、洗浄性が良好で、かつ、人為的なミスがあっても履歴情報の確認が可能な内視鏡システムをローコストに実現できる。
【００１７】
また、リプロセス装置の洗浄槽に使用済みの内視鏡の形状を規制する規制手段を設け、内視鏡を収納した状態で識別タグを検出するようにしたので、複数の識別タグの検出を容易にできる。さらに、少なくとも１つの識別タグには、内視鏡本体とユニットの組み合わせの情報を取得するための情報を書き込んでおけば、１つの識別タグを検出することでユニットの数が何個であるかが分かり、複数の識別タグの全部を検出したかどうかが判別できるだけでなく、内視鏡本体とユニットの組み合わせの誤りやユニットの不足を容易に検知できる。
【図面の簡単な説明】
【００１８】
【図１】本発明の内視鏡リプロセス装置の履歴管理システムの概略図である。
【図２】トップカバーを閉めた状態のリプロセス装置の外観図である。
【図３】トップカバーを開けた状態のリプロセス装置の外観図である。
【図４】内視鏡の平面図である。
【図５】識別ＩＤテーブルを説明するための説明図である。
【図６】適合機種テーブルを説明するための説明図である。
【図７】洗浄履歴を説明するための説明図である。
【図８】本発明の作用を示すフローチャートである。
【図９】（Ａ）は内視鏡本体用ＩＣタグに記憶する情報を、（Ｂ）は吸引ボタンユニットに埋め込まれるユニット用ＩＣタグに記憶する情報を、（Ｃ）は送気・送水ボタンユニットに埋め込まれるユニット用ＩＣタグに記憶する情報を、（Ｄ）は鉗子キャップユニットに埋め込まれるユニット用ＩＣタグに記憶する情報を説明するための説明図である。
【発明を実施するための形態】
【００１９】
図１に示すように、本発明の第１実施形態の内視鏡リプロセス装置の履歴管理システム１０は、使用済みの内視鏡１１に対して洗浄・消毒・滅菌等の処理（リプロセス処理ともいう）を施す内視鏡リプロセス装置（以下「リプロセス装置」という）１２と、このリプロセス装置１２で洗浄等した内視鏡１１の洗浄履歴を管理する履歴管理サーバー１４とを備えており、リプロセス装置１２と履歴管理サーバー１４とは通信ケーブル１３で接続されている。
【００２０】
図２及び図３に示すように、リプロセス装置１２は、箱状の装置本体１６の上部に洗浄槽１８を備えており、この洗浄槽１８には、使用済みの内視鏡１１が収容されるとともに、洗浄液や消毒液が供給される。また、装置本体１６には、洗浄槽１８の開口部１８ａを覆う蓋として機能するトップカバー２０が設けられている。
【００２１】
洗浄槽１８の前方部分の底面には、内視鏡１１が載置される略円形のネット２１が配置されている。ネット２１は、内視鏡１１と底面との間に液体が流れ込む隙間を作り、洗浄槽１８に供給される液体が、内視鏡１１の外表面に接触する面積を増加させる。ネット２１の中央には、内視鏡１１から取り外された、吸引ボタンユニット６１（図４参照）などの小物部品を収容する小物洗浄かご２２が配置されている。小物洗浄かご２２の近傍には、上方に位置するトップカバー２０に向けて水を噴射する噴射ノズル２３が配置されている。
【００２２】
洗浄槽１８の後方部分には、廃液口２６がその底面に、液面センサ２７がその側面に設けられている。廃液口２６は、洗浄槽１８からの使用済みの水、洗浄液、消毒液を排出する。液面センサ２７は、例えば、液面に応じてフロートが上下動するフロート式レベルセンサであり、洗浄槽１８内に貯えられた液体の液面位置を検出する。
【００２３】
また、洗浄槽１８の後方部分には、洗浄槽１８の底面よりも一段高いテラス部１８ｂ、１８ｃが設けられている。一方のテラス部１８ｂには、洗浄槽１８に水を供給する給水ノズル２９ａと、消毒液を洗浄槽に供給する消毒液供給ノズル２９ｂと、洗剤を洗浄槽に供給する洗剤供給ノズル２９ｃとが設けられている。また、テラス部１８ｂには、さらに、内視鏡１１の外皮と内蔵物の隙間に圧縮エアを送り込み、外皮に液体が進入する小さな孔や亀裂が生じていないかを試験するための気密試験ポート３０が設けられている。
【００２４】
もう一方のテラス部１８ｃには、内視鏡１１の鉗子チャンネル５６及び送気・送水チャンネル５７（いずれも図４参照）内の洗浄、消毒に用いられるチャンネル洗浄ポート３２が設けられている。チャンネル洗浄ポート３２には、図示しない接続チューブを介して、内視鏡１１の吸引ボタンユニット６１及び送気・送水ボタンユニット６２の装着口とそれぞれ接続する送気・送水チャンネル用カプラ、吸引チャンネル用カプラ（図示しない）が設けられている。
【００２５】
また、洗浄槽１８の側面には、内視鏡１１の挿入部５３及びユニバーサルコード５１を巻き回した状態で洗浄槽１８に載置したときに、その巻き回された状態を維持するように、挿入部５３及びユニバーサルコード５１の形状を規制する形状規制部１８ｄが設けられている。
【００２６】
装置本体１６の上部パネル１９には、操作部３６が設けられている。操作部３６は、各種の操作指示を入力するための操作ボタン３６ａ、各種表示を行なうディスプレイ３６ｂと、洗浄、消毒の開始を指示するスタートボタン３６ｃなどを備えている。
【００２７】
装置本体１６の前面パネル１７の下方には、トップカバー２０の開閉操作を行うフットスイッチ４４が設けられている。トップカバー２０は図示しないモータによって電動で開閉され、トップカバー２０が開いているときにはフットスイッチ４４の踏み込み操作によってトップカバー２０は閉じ、その一方、トップカバー２０が閉じているときにはフットスイッチ４４の踏み込み操作によってトップカバー２０は開く。
【００２８】
図４に示すように、リプロセス装置１２で洗浄・消毒する内視鏡１１は、内視鏡本体５０と、この内視鏡本体５０とプロセッサ装置及び光源装置（いずれも図示しない）とを接続するユニバーサルコード５１を備えている。内視鏡本体５０は、体腔内に挿入される挿入部５３と、この挿入部５３の基端部分に設けられ、各種操作を行う操作部５４とを備えている。挿入部５３の先端には、ＣＣＤなどを備えた撮像ユニットが設けられており、この撮像ユニットによって体腔内が撮像される。撮像により得られた撮像信号は、ユニバーサルコード５１を介して、プロセッサ装置に送られる。
【００２９】
また、挿入部５３には、光源装置からの照明光を導光するライトガイド（図示しない）が挿通されている。このライトガイドにより導光された照明光は、挿入部５３の先端から体腔内に向けて照射される。また、挿入部５３には、患部の治療に用いられる鉗子や注射針などの処置具を挿通するとともに、治療により切除した腫瘍患部などを吸引する鉗子チャンネル５６と、体腔内に空気又は水などを供給する送気・送水チャンネル５７とが設けられている。
【００３０】
鉗子チャンネル５６の鉗子挿入口５６ａには、セミディスポーザブルな鉗子キャップユニット６０が取り付けられている。鉗子チャンネル５６に対する吸引操作は操作部５４の吸引ボタンユニット６１によって行われ、送気・送水チャンネル５７に対する送気・送水操作は、操作部５４の送気・送水ボタンユニット６２によって行われる。鉗子キャップユニット６０、吸引ボタンユニット６１、送気・送水ボタンユニット５２は、内視鏡１１の予備洗浄時に取り外される。
【００３１】
内視鏡本体５０の操作部５４には、パッシブ型のラベル型無線ＩＣタグからなる内視鏡本体用ＩＣタグ６８が貼り付けられている。この内視鏡本体用ＩＣタグ６８は、他の内視鏡本体と識別することができる固有の内視鏡本体識別ＩＤを記憶している。また、内視鏡本体用ＩＣタグ６８はパッシブ型であることから、内視鏡本体用タグリーダー７５側の電波を利用することによって内視鏡本体識別ＩＤが読み取られる。また、内視鏡本体用ＩＣタグ６８の表面には、内視鏡本体の固有の識別番号のコードシンボル６８ａが印刷され、目視で内視鏡本体５０の識別が可能となっている。なお、内視鏡本体用ＩＣタグはラベル型の貼り付けタイプに限定されるものでなく、スティック型ＩＣタグなどを内視鏡本体に埋め込むタイプのものであってもよい。また、内視鏡本体用ＩＣタグは、自ら電力を発することができるアクティブ型であってもよい。
【００３２】
内視鏡１１の予備洗浄時に取り外される鉗子キャップユニット６０、吸引ボタンユニット６１、送気・送水ボタンユニット６２のそれぞれには、パッシブ型の無線ＩＣタグからなるユニット用ＩＣタグ７０，７１，７２が埋め込まれている。このユニット用ＩＣタグ７０，７１，７２は、他の内視鏡１１の各種部品と識別することができる固有のユニット識別ＩＤを記憶しており、内視鏡本体用ＩＣタグ６８と同様に、ユニット用タグリーダー７７側からの電波を利用することによってユニット識別ＩＤが読み取られる。なお、ユニット用ＩＣタグはアクティブ型であってもよい。
【００３３】
吸引ボタンユニット６１は、特開平７−３９５１２号公報に示すように、鉗子チャンネル５６からのエアが出入りする出口管路及び入口管路が設けられたシリンダと、術者による押圧操作用の押しボタン部が設けられたピストンと、ピストンに対する押圧操作を解除したときに、ピストンを所定の位置に戻すためのバネなどを備えている（いずれも図示しない）。この吸引ボタンユニット６１は、出口管路及び入口管路とともに、内視鏡本体５０から着脱可能となっているため、予備洗浄時に取り外して洗浄することができる。これにより、吸引ボタンユニット６１の洗浄性は向上する。したがって、この場合には、吸引ボタンユニット６１のうち出口管路及び入口管路などにユニット用ＩＣタグ７１を設ける。
【００３４】
これに対して、バネは、その一端がシリンダ側のバネ端部固定溝に嵌合されるとともに、接着剤によって接着固定されているため、吸引ボタンユニット６１の分解洗浄時に、シリンダから取り外されることはない。さらには、ピストンの側面には、ピストンそのものが回動することを防止する回動防止柱が設けられているため、術者が押圧操作したときにピストンを回動させる力が作用したとしても、回動防止柱が、出口管路などシリンダのいずれかの部材に当接する。したがって、誤ってピストンがシリンダから外れることはない。このように、吸引ボタンユニット６１のうちバネ及びピストンについては、洗浄時に着脱できるように構成されている部品構成ではないため、ユニット用ＩＣタグ７１を設ける必要がない。
【００３５】
図１に示すように、内視鏡１１の洗浄時には、内視鏡１１は、挿入部５３及びユニバーサルコード５１が巻き回された状態にした上で、小物洗浄かご２２の周囲を取り囲むようにして、洗浄槽１８内に載置される。また、内視鏡本体５０から取り外された鉗子キャップユニット６０、吸引ボタンユニット６１、送気・送水ボタンユニット６２は小物洗浄かご２２の中に入れられる。
【００３６】
図１及び図３に示すように、トップカバー２０の周辺部には、内視鏡本体用ＩＣタグ６８を読み取るための内視鏡本体用タグリーダー７５が設けられている。内視鏡本体用タグリーダー７５は、トップカバー２０を閉めたときに、洗浄槽１８に載置された内視鏡１１の操作部５４の内視鏡本体用ＩＣタグ６８と対向するように設けられている。内視鏡本体用タグリーダー７５は、内視鏡本体用ＩＣタグ６８のみと通信を行うセレクティブアクセス方式で、内視鏡本体用ＩＣタグ６８から内視鏡本体識別ＩＤを読み取る。
【００３７】
また、トップカバー２０の中心部には、ユニット用ＩＣタグ７０〜７２を読み取るためのユニット用タグリーダー７７が設けられている。ユニット用タグリーダー７７は、トップカバー２０を閉めたときに、小物洗浄かご２２に対向するように設けられている。ユニット用タグリーダー７７は、鉗子キャップユニット６０、吸引ボタンユニット６１、送気・送水ボタンユニット６２のそれぞれに設けられたユニット用ＩＣタグ７０〜７２の全てとの通信を行なうマルチアクセス方式（アンチコリジョン機能）で、ユニット用ＩＣタグ７０〜７２のそれぞれからユニット識別ＩＤを読み取る。マルチアクセス方式では、ユニット用タグリーダー７７の通信圏内に入ってきたユニット用ＩＣタグ７０〜７２を順番どおりにあるいは一度に通信することができる。
【００３８】
図１に示すように、履歴管理サーバー１４は、内視鏡本体用及びユニット用タグリーダー７５，７７で読み取った識別ＩＤを取得する識別ＩＤ取得部８０と、内視鏡本体識別ＩＤとその型式名、部品名、部品番号、グループＩＤ、シリアルＮｏ、及び総部品点数とを予め関連付けて記憶するとともに、ユニット識別ＩＤと、その型式名、部品名、部品番号、グループＩＤ、及びシリアルＮｏとを予め関連付けて記憶する識別ＩＤテーブル８１と、内視鏡本体５０の型式とこの内視鏡本体５０の型式名と適合するユニットの型式名との組み合わせを記憶する適合機種テーブル８２とを備えている。
【００３９】
さらに、履歴管理サーバー１４は、内視鏡本体識別ＩＤ及びユニット識別ＩＤに対応する型式名を特定する型式名特定部８３と、内視鏡本体の型式名と鉗子キャップユニット６０、吸引ボタンユニット６１、送気・送水ボタンユニット６２などの各種部品の型式名とが適合するか否かを判定する適合機種判定部８４と、内視鏡本体のグループＩＤと鉗子キャップユニット６０、吸引ボタンユニット６１、送気・送水ボタンユニット６２などの各種ユニットのグループＩＤが全て一致するか否かを判定するグループＩＤ判定部８５と、内視鏡１１の洗浄に関する洗浄履歴を取得する履歴取得部８６とを備えている。
【００４０】
履歴管理サーバー１４における各部間の作用については、以下の本発明の作用で詳細に説明する。なお、識別ＩＤテーブルは、例えば図５に示すようなテーブルを有している。また、適合機種テーブルは、例えば図６に示すようなテーブルを有している。また、洗浄履歴には、例えば図７に示すように、洗浄を行った日付、開始時間、終了時間、及び内視鏡本体用及びユニット用タグリーダー７５，７７で読み取った識別ＩＤが示されているとともに、それら識別ＩＤに対応する型式名等が示されている。なお、識別ＩＤテーブルの「グループＩＤ」については、鉗子キャップユニットなどのユニットを交換したときには、メーカーが内視鏡本体のグループＩＤと一致するように、そのユニットについての「グループＩＤ」を書き換えることが好ましい。
【００４１】
次に、本発明の作用について、図８に示すフローチャートに沿って説明する。まず、予備洗浄時において、内視鏡本体５０の挿入部５３に付着した異物等を布で拭き取るとともに、内視鏡本体５０から、鉗子キャップユニット６０、吸引ボタンユニット６１、送気・送水ボタンユニット６２を取り外す。そして、リプロセス装置１２のフットスイッチ４４を踏み込んで、トップカバー２０を開く。トップカバー２０が開いたら、洗浄槽１８のネット２１上に、挿入部５３及びユニバーサルコード５１を巻き回した状態で、内視鏡本体５０を載置する。また、内視鏡本体５０から取り外した鉗子キャップユニット６０、吸引ボタンユニット６１、送気・送水ボタンユニット６２を小物洗浄かご２２の中に投入する。
【００４２】
内視鏡本体５０等が洗浄槽１８に載置されたら、フットスイッチ４４を踏み込んで、トップカバー２０を閉じる。トップカバー２０が閉じられると、リプロセス装置１２のスタートボタン３６ｃを操作する。この操作に従って、図示しないロック機構により、トップカバー２０が閉じ状態にロックされる。
【００４３】
トップカバー２０がロックされると、内視鏡本体用タグリーダー７５が内視鏡本体用ＩＣタグ６８から内視鏡本体識別ＩＤを読み出すとともに、ユニット用タグリーダー７７が鉗子キャップユニット６０、吸引ボタンユニット６１、送気・送水ボタンユニット６２のそれぞれに設けられたユニット用ＩＣタグ７０〜７２からユニット識別ＩＤを読み出す。読み出された内視鏡本体識別ＩＤ及びユニット識別ＩＤは、通信ケーブル１３を介して、履歴管理サーバー１４に送られる。
【００４４】
履歴管理サーバー１４の識別ＩＤ取得部８０では、総部品点数を特定することが可能な内視鏡本体識別ＩＤを取得するまで、内視鏡本体識別ＩＤの取得要求が繰り返される。内視鏡本体識別ＩＤを取得した後は、識別ＩＤ取得部８０は、識別ＩＤテーブル８１を参照し、取得した内視鏡本体識別ＩＤに対応する総部品点数を特定する。総部品点数を特定した後は、ユニット識別ＩＤの取得要求を行なう。そして、特定した総部品点数と、それまでに識別ＩＤ取得部８０が取得した識別ＩＤの総取得数（内視鏡本体識別ＩＤとユニット識別ＩＤとの取得数の合計）とが一致するまで、ユニット識別ＩＤの取得要求が繰り返される。
【００４５】
識別ＩＤの総取得数が総部品点数に達したら、型式名特定部８３は、識別ＩＤテーブル８１を参照して、内視鏡本体識別ＩＤに対応する型式名を特定するとともに、ユニット識別ＩＤに対応する型式名を特定する。ここで、内視鏡本体識別ＩＤに対応する型式名を本体型式名とする。また、ユニット識別ＩＤに対応する型式名をユニット型式名とする。
【００４６】
次に、適合機種判定部８４は、適合機種テーブル８２を参照し、型式名特定部８３で特定されたユニット型式名が本体型式名と適合するか否かを判定する。ユニット型式名が内視鏡本体型式名と適合した場合には、型式名特定部８３は、識別ＩＤテーブル８１を参照して、内視鏡本体識別ＩＤに対応するグループＩＤを特定するとともに、ユニット識別ＩＤに対応するグループＩＤを特定する。一方、ユニット型式名と内視鏡本体型式名とが適合しなかった場合には、ディスプレイ３６ｂに警告表示がなされるとともに、リプロセス装置１２はエラーストップする。
【００４７】
そして、グループＩＤ判定部８５は、内視鏡本体識別ＩＤに対応するグループＩＤとユニット識別ＩＤに対応するグループＩＤとが全て一致した場合には、内視鏡本体５０及び鉗子キャップユニット６０、吸引ボタンユニット６１、送気・送水ボタンユニット６２などの各種ユニットの洗浄・消毒処理を開始する。また、履歴取得部８６は、識別ＩＤテーブル８１を参照して、洗浄履歴を取得する。一方、内視鏡本体識別ＩＤに対応するグループＩＤとユニット識別ＩＤに対応するグループＩＤのうち、一つでも異なる場合には、ディスプレイ３６ｂに警告表示がなされるとともに、リプロセス装置１２はエラーストップする。なお、洗浄・消毒処理が開始した後は、洗浄履歴のチェックや異常の有無の管理を行なってもよい。
【００４８】
洗浄・消毒処理が完了すると、ロック機構はトップカバー２０に対するロックを解除する。そして、フットスイッチ４４を踏み込むことによって、トップカバー２０が開く。これにより、内視鏡本体５０及び鉗子キャップユニット６０、吸引ボタンユニット６１、送気・送水ボタンユニット６２をリプロセス装置１２から取り出すことができる。
【００４９】
ここで、識別ＩＤテーブル８１が図５に示すテーブルであり、適合機種テーブル８２が図６に示すテーブルである場合において、内視鏡本体識別ＩＤを取得するステップからグループＩＤの一致を判定するステップまでのフローをより具体的に説明する。まず、識別ＩＤ取得部８０が取得した内視鏡本体識別ＩＤが「０００５」の場合には、内視鏡本体識別ＩＤ「０００５」に対応する総部品点数は、図５の識別ＩＤテーブル８１から「４」と特定される。したがって、内視鏡本体識別ＩＤを取得した後は、識別ＩＤの総取得数が「４」に達するまで、ユニット識別ＩＤの取得要求が繰り返される。ここで、識別ＩＤ取得部が取得したユニット識別ＩＤを「０００２」、「０００３」、「０００４」とする。
【００５０】
次に、型式名特定部８３は、図５の識別ＩＤテーブル８１から、内視鏡本体識別ＩＤ「０００５」に対応する本体型式名が「４１０」として特定するとともに、ユニット識別ＩＤ「０００２」のそれぞれに対応するユニット型式名が「４００」として特定する。そして、適合機種判定部８４は、図６の適合機種テーブル８２を参照し、型式名特定部８３で特定されたユニット型式名が本体型式名と適合するか否かを判定する。ここで、型式名特定部８３で特定された本体型式名「４１０」に適合するユニット型式名は「４００」と「４１０」であることから、適合機種判定部８４は、型式名特定部８３で特定されたユニット型式名「４１０」のそれぞれは、本体型式名の「４００」に適合すると判定される。
【００５１】
次に、グループＩＤ判定部８５は、内視鏡本体識別ＩＤに対応するグループＩＤとユニット識別ＩＤに対応するグループＩＤとが全て一致するか否かを判定する。ここで、図５の識別ＩＤテーブル８１から、内視鏡本体識別ＩＤ「０００５」に対応するグループＩＤは「０００１」であり、ユニット識別ＩＤ「０００２」、「０００３」、「０００４」に対応するグループＩＤは全て「０００１」となっている。したがって、グループＩＤ判定部８５は、内視鏡本体識別ＩＤに対応するグループＩＤとユニット識別ＩＤに対応するグループＩＤとが全て一致すると判定する。
【００５２】
本発明の第２実施形態の内視鏡リプロセス装置の履歴管理システムでは、内視鏡本体用ＩＣタグ６８に記憶する情報として、図９（Ａ）に示すように、内視鏡本体の固有の識別ＩＤの他に、総部品点数、型式名、名称、部品番号、グループＩＤ、シリアルＮｏ、洗浄等を行った日付、洗浄時に部品等の組み合わせに異常があったか否かを示す備考を記憶している。また、吸引ボタンユニット６１に埋め込まれるユニット用ＩＣタグ７１に記憶する情報として、図９（Ｂ）に示すように、吸引ボタンユニット６１の固有の識別ＩＤの他に、型式名、名称、部品番号、グループＩＤ、シリアルＮｏ、洗浄等を行った日付、洗浄時に部品等の組み合わせに異常があったか否かを示す備考を記憶している。また、鉗子キャップユニット６０に埋め込まれるユニット用ＩＣタグ７０、送気・送水ボタンユニット６２に埋め込まれるユニット用ＩＣタグ７２についても、図９（Ｃ）、（Ｄ）に示すように、ユニット用ＩＣタグ７１と同様、固有の識別ＩＤの他に、型式名等を記憶している。なお、ユニット用ＩＣタグ７０〜７２にも、内視鏡本体用ＩＣタグと同様に、総部品点数を記憶させてもよい。
【００５３】
したがって、第２実施形態では、第１実施形態の識別ＩＤテーブルに記憶していた総部品点数、型式名、名称、部品番号、グループＩＤ、シリアルＮｏを、ＩＣタグ側に記憶させている。そして、タグリーダーによる読み取りの際には、ＩＣタグから、識別ＩＤの他、総部品点数、型式名、名称、部品番号、グループＩＤ、シリアルＮｏを読み出す。
【００５４】
そして、ＩＣタグから読み出された識別ＩＤ、総部品点数、型式名、名称、部品番号、グループＩＤ、シリアルＮｏに基づいて、内視鏡本体と各種部品とが適合するか否かを判定し、グループＩＤが全て一致するか否かを判定を行う。これら判定を行った上で、洗浄履歴の取得を行う。これにより、第２実施形態では、第１実施形態のように、履歴管理サーバーにおいて、識別ＩＤテーブル、型式名特定部などを必要としない。なお、第２実施形態は、上記以外の内容については、第１実施形態と略同様であるので、説明を省略する。
【００５５】
上記第１及び第２実施形態では、リプロセス装置のトップカバーにおいて、内視鏡本体用タグリーダーと、ユニット用タグリーダーとを分けて配置する方式とし、本発明は、予備洗浄時または内視鏡洗浄装置に挿入する際の分解単位の部品毎に無線ＩＣタグを設けて、リプロセス装置に組み込まれた無線ＩＣ用タグリーダーによってこれらを読み出すものであれば、これに限定する必要はない。例えば、リプロセス装置に内視鏡が収納されたときに操作部に接近した位置に小物洗浄かごを配置し、通信息の広い単一の無線ＩＣ用タグリーダーによって内視鏡本体用タグとユニット用タグを同時に読み取っても良いし、逆に小物洗浄かごの中を仕切って小物の位置を特定し、それぞれ単一の無線ＩＣ用タグリーダーによって読み取っても良い。
【００５６】
なお、上記第１及び第２実施形態では、トップカバーの周辺部に内視鏡本体用タグリーダーを、その中心部にユニット用タグリーダーを設けたが、内視鏡本体用ＩＣタグ及びユニット用ＩＣタグの両方を読取ることができる広域通信可能なタグリーダーを１つだけトップカバーに設けても良い。また、内視鏡本体用タグリーダー及びユニット用タグリーダーをトップカバーに設けたが、これに代えて、装置本体の洗浄槽に内視鏡本体用タグリーダー及びユニット用タグリーダーを設けてもよい。その際、洗浄槽に載置された内視鏡本体の操作部のうち内視鏡本体用ＩＣタグが設けられた部分と対向する部分に内視鏡用タグリーダーを、ユニット用ＩＣタグが投入された小物洗浄かごと対向する部分にユニット用タグリーダーを設けることが好ましい。さらには、内視鏡本体用タグリーダー及びユニット用タグリーダーの設置位置は、トップカバー及び装置本体内に限らず、洗浄槽に収納された内視鏡から識別ＩＤを読み取れる位置であれば、どのような場所であってもよい。
【００５７】
なお、上記第１及び第２実施形態では、吸引ボタンユニットに対しては１つのＩＣタグを設けたが、これに限られない。例えば、吸引ボタンユニットは、特開２０１０−２９３１７号公報に示すように、内視鏡洗浄時に、シリンダーとピストンを分解して洗浄しているため、シリンダーとピストンのそれぞれに対してＩＣタグを内蔵または貼り付けてもよい。さらには、吸引ボタンユニットの他、予備洗浄時に内視鏡本体から取り外される部品のうち、更にその部品を分解して洗浄されるものに対しても、ＩＣタグを設けてもよい。
【００５８】
なお、本実施形態では、鉗子キャップユニット、吸引ボタンユニット、送気・送水ボタンユニットのそれぞれにＩＣタグを設けるが、その他に、洗浄時に内視鏡本体から着脱できるように構成されている部品構成（洗浄時の分解単位）に対しても、鉗子キャップユニット等のユニット用ＩＣタグと同様のＩＣタグを付与する。
【００５９】
例えば、特開２００４−２６１３４９号公報に示すように、内視鏡の先端部に形成された管路口の被挿入口先端部を着脱可能にした場合には、その被挿入口先端部に対してＩＣタグを設ける。また、鉗子チャンネルの鉗子挿入口に、着脱自在な漏斗状の鉗子栓ユニットを設けた場合には、その鉗子栓ユニットにもＩＣタグを設ける。この鉗子詮ユニットは、処置具によって押し開かれるスリット又は小孔を形成したゴム状の栓部を有しており、このゴム状の栓部で鉗子挿入口をシールしている。したがって、処置具を鉗子チャンネルから引き抜くときであっても、処置具に付着した体内汚液等が鉗子挿入口から外部に出てしまうことを防ぐことができる。
【００６０】
また、特開平７−３２５２５７号公報に示すように、内視鏡の先端部に設けられた照明光学系、対物光学系、送気・送水口、鉗子口の全体を絶縁カバーで覆い、この絶縁カバーーを内視鏡の先端部から着脱可能にした場合には、その絶縁カバーにもＩＣタグを設ける。また、特開平９−４９２号公報に示すように、鉗子チャンネルの鉗子挿入口に、鉗子などの処置具の挿入・抜出を自動的に行なう挿抜装置を設け、この挿抜装置を内視鏡から着脱自在にした場合には、その挿抜装置にもＩＣタグを設ける。
【００６１】
本発明の第１及び第２実施形態では、内視鏡本体の型式名とユニットの型式名とが適合するか否か、また、内視鏡本体とユニットのグループＩＤが全て一致するか否かを判定しているため、リプロセス装置において、内視鏡本体とユニットとの組み合わせが適正か否かを検出することができる。したがって、洗浄・消毒処理が完了した後に、直ぐ内視鏡本体とユニットを組み立てることで、組立時における誤装着を防ぐことができる。また、洗浄・消毒処理後に、内視鏡本体とユニットを保管庫に保管しておく場合には、保管庫にタグリーダーを設置しておき、内視鏡を組み立てる時点で、そのタグリーダーで内視鏡本体用ＩＣタグとユニット用ＩＣタグを読み取る。そして、この読み取りにより得られた内視鏡本体識別ＩＤ及びユニット識別ＩＤに基づいて、内視鏡本体とユニットとの組み合わせが適正か否かを検出することで、組立時における誤装着を防ぐことができる。
【符号の説明】
【００６２】
１０  内視鏡リプロセス装置の履歴管理システム
１１  内視鏡
１２  リプロセス装置
１４  履歴管理サーバー
１８  洗浄槽
１８ｄ  形状規制部
２０  トップカバー
５０  内視鏡本体
６０  鉗子キャップユニット
６１  吸引ボタンユニット
６２  送気・送水ボタンユニット
６８  内視鏡本体用ＩＣタグ
７０〜７２  ユニット用ＩＣタグ
７５  内視鏡本体用タグリーダー
７７  ユニット用タグリーダー
８１  識別ＩＤテーブル
８３  型式名特定部
８６  履歴取得部
【図１】
2011193982.tif 000003
【図２】
2011193982.tif 000004
【図３】
2011193982.tif 000005
【図４】
2011193982.tif 000006
【図５】
2011193982.tif 000007
【図６】
2011193982.tif 000008
【図７】
2011193982.tif 000009
【図８】
2011193982.tif 000010
【図９】
2011193982.tif 000011